(57)【要約】【課題】本発明は、扉の前面に左右方向に回動自在に取り付けられた扉開閉用把手体の回動操作を規制して扉が無断で開閉されるのを防止することができると共に扉開閉用把手体の回動操作を円滑に行うことができる把手体のロック構造を提供する。【解決手段】本発明の把手体のロック構造Ａは、扉Ｂの前面に左右方向に回動自在に取り付けた扉開閉用把手体Ｃに着脱自在に被せて上記把手体Ｃの回動操作を規制するカバー体２と、このカバー体２を上記把手体Ｃに被せた状態を維持するための施錠機構とからなるので、カバー体２を着脱自在に扉開閉用把手体Ｃに被せるといった簡単な操作でもって扉開閉用把手体Ｃの回動操作を規制し、扉Ｂが無断で開放されるのを確実に防止することができる。【選択図】　　図１
2004036149.tif 000002
【特許請求の範囲】
【請求項１】
扉の前面に左右方向に回動自在に取り付けた扉開閉用把手体に着脱自在に被せて上記把手体の回動操作を規制するカバー体と、このカバー体を上記把手体に被せた状態を維持するための施錠機構とからなることを特徴とする把手体のロック構造。
【請求項２】
カバー体は、扉開閉用把手体の前面を覆う縦長長方形状の前面板部の両側端に、扉開閉用把手体の両側部を覆う両側板部を一体的に形成してなり、このカバー体の上端を扉開閉用把手体の上方部における扉の前面に上下方向に回動自在に枢着していることを特徴とする請求項１に記載の把手体のロック構造。
【請求項３】
施錠機構は、扉の前面に立設され且つ前端部につる挿通孔を設けた施錠板と、カバー体に設けられて上記施錠板の前端部を挿脱可能に挿通させる施錠板挿通孔と、上記つる板挿通孔に挿通して錠止するつるを備えた錠前とからなることを特徴とする請求項２に記載の把手体のロック構造。
【請求項４】
施錠機構は、カバー体の両側板部に設けられたつる挿通孔と、これらのつる挿通孔間に把手体の後面に対して係止状態となるように挿通して錠止するつるを備えた錠前とからなることを特徴とする請求項２に記載の把手体のロック構造。
【請求項５】
カバー体がスプリング力によって開放する方向に常時付勢されていることを特徴とする請求項１乃至請求項４の何れか１項に記載の把手体のロック構造。
【請求項６】
カバー体の上端面にクッション材を一体的に設けていることを特徴とする請求項２乃至請求項５の何れか１項に記載の把手体のロック構造。
【発明の詳細な説明】
【０００１】
【発明の属する技術分野】
本発明は、扉の前面に左右方向に回動自在に取り付けられた扉開閉用把手体の回動操作を規制して、扉が無断で開放されるのを防止するための把手体のロック構造に関する。
【０００２】
【従来の技術】
従来から、制御装置の収納箱、倉庫、ロッカー等の扉の前面には扉開閉用把手体が左右方向に回動自在に取り付けられていると共に、扉には錠機構を内蔵してあり、この錠機構を錠止状態とすることによって上記扉開閉用把手体の左右方向への回動操作を規制し、扉を閉止状態に維持して、扉が何者かによって無断に開けられるのを防止していた。
【０００３】
しかしながら、上記錠機構は、キーを鍵穴に挿入して所定方向に回すことによって錠止状態又はその解除を行っており、特殊な道具を用いれば簡単に錠機構の錠止状態を解除して扉の開閉が可能になるといったことが、近年問題となっている。
【０００４】
そこで、上記扉開閉用把手体に対向する扉の前面に扉開閉用把手体に向かって第一突片を突設すると共に、上記扉開閉用把手体にも扉の前面に向かって第二突片を突設し、これら第一、第二突片が、扉を閉止した状態において、互いに重なり合った状態となるように構成し、この第一、第二突片同士が互いに重なり合った部分に南京錠のつるが挿通可能な挿通孔を穿設しておき、この挿通孔に南京錠のつるを挿通させて第一、第二突片を一体化することによって、上記施錠機構が不法に解除された場合にあっても、上記扉開閉用把手体の回動操作を不能にして扉が不法に開閉されるのを防止していた。
【０００５】
ところが、上記構造では、扉の前面に第一突片を、扉開閉用把手体に第二突片を突設していることから、扉開閉用把手体を手で把持して回動操作する際に、扉開閉用把手体を把持した手が第一突片又は第二突片に当たって扉開閉用把手体の回動操作に支障をきたすことがあるといった問題点があった。
【０００６】
【発明が解決しようとする課題】
本発明は、扉の前面に左右方向に回動自在に取り付けられた扉開閉用把手体の回動操作を規制して扉が無断で開閉されるのを防止することができると共に扉開閉用把手体の回動操作を円滑に行うことができる把手体のロック構造を提供する。
【０００７】
【課題を解決する手段】
請求項１に記載の把手体のロック構造は、扉の前面に左右方向に回動自在に取り付けた扉開閉用把手体に着脱自在に被せて上記把手体の回動操作を規制するカバー体と、このカバー体を上記把手体に被せた状態を維持するための施錠機構とからなることを特徴とする。
【０００８】
又、請求項２に記載の把手体のロック構造は、請求項１に記載の把手体のロック構造において、カバー体は、扉開閉用把手体の前面を覆う縦長長方形状の前面板部の両側端に、扉開閉用把手体の両側部を覆う両側板部を一体的に形成してなり、このカバー体の上端を扉開閉用把手体の上方近傍部における扉の前面に上下方向に回動自在に枢着していることを特徴とする。
【０００９】
そして、請求項３に記載の把手体のロック構造は、請求項２に記載の把手体のロック構造において、施錠機構は、扉の前面に立設され且つ前端部につる挿通孔を設けた施錠板と、カバー体に設けられて上記施錠板の前端部を挿脱可能に挿通させる施錠板挿通孔と、上記つる挿通孔に挿通して錠止するつるを備えた錠前とからなることを特徴とする。
【００１０】
更に、請求項４に記載の把手体のロック構造は、請求項２に記載の把手体のロック構造において、施錠機構は、カバー体の両側板部に設けられたつる挿通孔と、これらのつる挿通孔間に把手体の後面に対して係止状態となるように挿通して錠止するつるを備えた錠前とからなることを特徴とする。
【００１１】
又、請求項５に記載の把手体のロック構造は、請求項１乃至請求項４の何れか１項に記載の把手体のロック構造において、カバー体がスプリング力によって開放する方向に常時付勢されていることを特徴とする。
【００１２】
最後に、請求項６に記載の把手体のロック構造は、請求項２乃至請求項５の何れか１項に記載の把手体のロック構造において、カバー体の上端面にクッション材を一体的に設けていることを特徴とする。
【００１３】
【作用】
本発明のロック構造は、扉の前面に左右方向に回動自在に取り付けた扉開閉用把手体に着脱自在にカバー体を被せて上記扉開閉用把手体の回動操作を規制していると共に、上記扉開閉用把手体にカバー体を被せた状態を施錠機構によって確実に維持しており、扉開閉用把手体の回動操作を確実に規制することができることができる。
【００１４】
しかも、本発明のロック構造では、その扉開閉用把手体に、この扉開閉用把手体の回動操作の支障となる部材は設けられておらず、カバー体による扉開閉用把手体の回動規制を解除して扉開閉用把手体を回動操作し、扉の開閉作業を円滑に行うことができる。
【００１５】
【発明の実施の形態】
本発明の把手体のロック機構の一例について図面を参照しつつ説明する。把手体のロック機構Ａは、図１に示したように、制御装置の収納箱、ロッカー、倉庫の扉Ｂの前面に左右方向に回動自在に取り付けられた扉開閉用把手体Ｃの回動操作を解除可能に規制して扉Ｂが無断で開放されるのを防止するためのものである。
【００１６】
上記扉開閉用把手体Ｃは、図１及び図２に示したように、正面縦長棒状の把手部Ｃ１と、この把手部Ｃ１の上部後端面から後方に向かって突出してなる回動軸部Ｃ２とからなり、この回動軸部Ｃ２の後部外周面には正面円形状の台座部Ｃ３が外方に向かって突設されていると共に、上記回動軸部Ｃ２は、上記台座部Ｃ３の前方部において二分割され、回動軸部Ｃ２の二分割された部分Ｃ２１　、Ｃ２２　同士は相対的に左右方向に回動自在に形成されており、上記把手部Ｃ１は、上記回動軸部Ｃ２を介して上記台座部Ｃ３に対して左右方向に回動自在に構成されている。
【００１７】
そして、上記扉開閉用把手体Ｃの回動軸部Ｃ２における台座部Ｃ３から後方に突出した部分を扉Ｂに穿設した取付孔Ｂ１に挿通させていると共に、この取付孔Ｂ１を通じて扉Ｂの後面側に突出させた回動軸部Ｃ２にナットＤを螺合させ、このナットＤによる回動軸部Ｃ２の後方への引張力によって、このナットＤの前面と上記台座部Ｃ３の後面とにより扉Ｂを挟持することによって上記扉開閉用把手体Ｃを扉Ｂの前面に左右方向に回動自在に取り付けている。なお、本発明の把手体のロック構造では、後述するように、上記台座部Ｃ３の後面と上記扉Ｂの前面との間に取付板１を介在させている。
【００１８】
なお、上記扉開閉用把手体Ｃの把手部Ｃ１をその長さ方向が垂直な状態に位置させた時には、扉Ｂに設けた係止爪（図示せず）が常時突出した状態となって、扉Ｂの配設枠の内周面に凹設した凹部に不抜状態に係止して扉Ｂが開かない状態となる一方、上記扉開閉用把手体Ｃの把手部Ｃ１を左右方向に所定角度だけ回動させと、上記扉Ｂの係止爪が扉Ｂの端面から完全に没入して、上記係止爪と上記配設枠の凹部との係止状態が解除されて扉Ｂを開放することができるように構成されている。
【００１９】
しかるに、上記把手体のロック構造Ａは、上述のようにして扉Ｂに取り付けられた従来から用いられている扉開閉用把手体Ｃに適用されるものであって、詳細に説明すると、上記把手体のロック構造Ａの取付板１は、図１及び図２に示したように、一定厚みを有する正面縦長長方形状の板状体からなり、この板状体の下半部に上記扉開閉用把手体Ｃの回動軸部Ｃ２の直径よりも僅かに大きな直径を有する正面円形状の軸部挿通孔１１が前後面間に亘って貫通した状態に貫設されてなる。
【００２０】
そして、上記取付板１は、その軸部挿通孔１１を上記扉Ｂの取付孔Ｂ１に前後方向に合致させ且つ上記軸部挿通孔１１に上記扉開閉用把手体Ｃの回動軸部Ｃ２の後部を挿通させた状態にして、上述したように上記ナットＤによる上記回動軸部Ｃ２の後方への引張力によって、上記扉開閉用把手体Ｃの台座部Ｃ３の後面とこれに対向する扉Ｂの前面との間に介装、挟持固定されている。なお、上記取付板１の上端部が上記扉開閉用把手体Ｃの把手部Ｃ１の上端よりも上方に突出した状態となっていると共に、上記台座部Ｃ３の後面全面が上記取付板１の前面に全面的に当接した状態となっている。
【００２１】
更に、上記取付板１の上端部にはカバー体２が上下方向に回動自在に取り付けられている。上記カバー体２は、図１及び図２に示したように、上記把手部Ｃ１の左右幅よりも若干幅広い左右幅を有し且つ上記把手部Ｃ１の上下長さよりも長い上下長さを有する正面縦長長方形状の前面板部２１と、この前面板部２１の左右端縁の全長から後方に向かって突設された一定の前後幅を有する側面縦長長方形状の両側板部２２、２２と、上記前面板部２１の上端縁の全長から後方に向かって突設され且つ上記両側板部２２、２２の前後幅よりも長い前後幅を有する平面縦長長方形状の上面板部２３とからなり、上記カバー体２の下端及び後端は全面的に開口した状態となっていると共に、上記前面板部２１と上記両側板部２２、２２と上記上面板部２３とで囲まれた空間部を上記扉開閉用把手体Ｃの収納空間部２４に形成している。
【００２２】
そして、上記カバー体２は、その上面板部２３の後端縁において上記取付板１の上端縁に上下方向に回動自在に取り付けられ、この回動軸１２にはスプリング１３が配設されており、上記カバー体２は、常時上方に向かって、即ち、開放する方向に付勢されている。
【００２３】
なお、上記カバー体２の前面板部２１の後面における上記扉開閉用把手体Ｃの把手部Ｃ１に対向する部分には、上記カバー体２の前面板部２１と上記扉開閉用把手体Ｃの把手部Ｃ１とが直接、衝突して破損したり或いは傷付いたりするのを防止するために発泡体やゴム材等からなるクッション材２１ａ　が一体的に設けられていると共に、上記カバー体２の上面板部２３の上面前後部の夫々にも、上記カバー体２の上面板部２３と上記扉Ｂの前面とが直接、衝突して破損したり或いは傷ついたりするのを防止するために発泡体やゴム材等からなるクッション材２３ａ　、２３ａ　が一体的に設けられている。
【００２４】
更に、上記カバー体２を上記扉開閉用把手体Ｃに被せた状態を維持するための施錠機構３は、上記取付板１の前面における軸部挿通孔１１の上方部に前方に向かって立設された側面Ｌ字状の施錠板３１と、上記カバー体２の上面板部２３に設けられて上記施錠板３１の前端部３１ｃ　を挿脱自在に挿通させる施錠板挿通孔２３ｂ　と、上記施錠板３１の前端部３１ｃ　に設けられたつる挿通孔３１ｄ　に挿通して錠止するつる４１を備えた錠前４とからなる。
【００２５】
具体的には、上記施錠板３１は、一定厚みを有する側面Ｌ字状の板状体から形成され、その後半部３１ａ　を水平に且つ前半部３１ｂ　を上方に向かって垂直に起立させた状態で、上記板状体の後端を上記取付板１の前面における軸部挿通孔１１の上方部、即ち、上記取付板１の前面における上記扉開閉用把手Ｃの把手部Ｃ１の上端よりも上方部に溶接等によって固着させている。
【００２６】
そして、上記カバー体２をその前面板部２１が略垂直に起立した状態に上記扉開閉用把手体Ｃに被せた状態では、上記施錠板３１の前端部３１ｃ　は、上記カバー体２の上面板部２３の左右方向の中央部に上下面間に亘って貫設された施錠板挿通孔２３ｂ　内を挿脱自在に挿通し、上方に向かって突出した状態となるように構成され、更に、上記カバー体２の施錠板挿通孔２３ｂ　から上方に向かって突出した上記施錠板の前端部３１ｃ　には、つる挿通孔３１ｄ　が両面間に亘って貫設されている。
【００２７】
しかして、上記カバー体２を、その前面板部２１が略垂直に起立した状態となるまで上記スプリング１３力に抗して上記回動軸１２を中心にして下方に向かって回動、変位させて着脱自在に上記扉開閉用把手体Ｃに被せると、上記カバー体２の後端開口部２ｂ及び下端開口部２ａを通じて収納空間部２４内に上記扉開閉用把手体Ｃが収納され、上記扉開閉用把手体Ｃは、その把手部Ｃ１の下端部を除いた全体が上記カバー体２に被覆された状態、即ち、把手部Ｃ１の下端部のみが上記カバー体２の下端開口部２ａから突出していると共に残余の扉開閉用把手体Ｃの全体が上記カバー体２に被覆された状態となるように構成されている。
【００２８】
更に、上記カバー体２の施錠板挿通孔２３ｂ　から上記施錠板３１の前端部３１ｃ　が上方に向かって突出し、この上方に向かって突出した上記施錠板の前端部３１ｃ　のつる挿通孔３１ｄ　内に錠前（南京錠）４のつる４１を挿通させ、このつる４１を上記カバー体２の上面板部２３の上面に係脱自在に係止させることによって、上記カバー体２が上記スプリング１３力によって上方に回動、変位するのを規制して、上記扉開閉用把手体Ｃに上記カバー体２を被せた状態を確実に維持できるように構成されている。なお、上記扉開閉用把手体Ｃの把手部Ｃ１を、その長さ方向が予め垂直方向に指向した状態にしておく必要がある。
【００２９】
この状態においては、上記扉開閉用把手体Ｃの把手部Ｃ１は、この把手部Ｃ１の左右近傍部に位置する上記カバー体２の両側板部２２、２２によって左右方向の回動操作が規制されており、上記扉Ｂの開閉操作ができない状態となっている。
【００３０】
一方、上記錠前４のつる４１を上記施錠板３１の前端部３１ｃ　のつる挿通孔３１ｄ　から取り除くと、上記カバー体２は、上記スプリング力１３によって上記回動軸１２を中心にして上方に向かって自動的に回動、変位し、このカバー体２の上方への回動、変位に伴って、上記扉開閉用把手体Ｃが、上記カバー体２の後端開口部２ｂ及び下端開口部２ａを通じて相対的に抜け出ると共に上記施錠板３１の前端部３１ｃ　が上記カバー体２の施錠板挿通孔２３ｂ　から下方に相対的に引き抜かれ、上記カバー体２は、その上面板部２３のクッション材２３ａ　が上記扉Ｂの前面に当接した状態となるまで上方に向かって回動、変位して、図３に示したように、上記扉開閉用把手体Ｃが全面的に露出した状態となり、この扉開閉用把手体Ｃを左右方向に回動操作することにより上記扉Ｂの開放動作が可能となるように構成されている。
【００３１】
次に、上記把手体のロック構造Ａの使用要領について説明する。上記把手体のロック構造Ａを従来から用いられている扉開閉用把手体Ｃに適用するには、先ず、ナットＤを扉開閉用把手体Ｃの回動軸部Ｃ２から螺退、除去した上で上記回動軸部Ｃ２を扉Ｂの取付孔Ｂ１から引き抜く。
【００３２】
次に、上記取付板１の軸部挿通孔１１を上記扉Ｂの取付孔Ｂ１に前後方向に合致させた上で、上記扉開閉用把手体Ｃの回動軸部Ｃ２を上記取付板１の軸部挿通孔１１及び上記扉Ｂの取付孔Ｂ１内に前方から後方に向かって挿通させ、上記扉Ｂから後方に突出した扉開閉用把手体Ｃの回動軸部Ｃ２部分にナットＤを螺合、螺進させ、このナットＤによる上記回動軸部Ｃ２の後方への引張力によって、このナットＤの前面と上記扉開閉用把手体Ｃの台座部Ｃ３の後面とにより、上記取付板１及び上記扉Ｂを強固に挟持し、上記取付板１を上記扉Ｂの前面に添設させると共に上記扉開閉用把手体Ｃを上記扉Ｂの前面に安定的に取り付けて、上記把手体のロック構造Ａを簡単に且つ確実に扉Ｂの前面に装着することができる。
【００３３】
そして、上記把手体のロック構造Ａを用いて上記扉開閉用把手体Ｃの回動操作を規制して扉Ｂを開放できない状態とするには、上記カバー体２を上記スプリング１３力に抗してカバー体２の前面板部２１が略垂直に起立した状態となるまで上記回動軸１２を中心にして下方に向かって回動、変位させ、上記カバー体２を上記扉開閉用把手体Ｃに着脱自在に被せ、更に、この状態を維持しつつ、上記カバー体２の上面板部２３の施錠板挿通孔２３ｂ　を通じて上方に突出した施錠板部３１の前端部３１ｃ　のつる挿通孔３１ｄ　に錠前４のつる４１を挿脱自在に挿通させる。なお、上記扉開閉用把手体Ｃの把手部Ｃ１は、扉Ｂを閉止した上でその長さ方向が垂直方向に指向した状態に予めしておくと共に、扉Ｂに別途設けた錠機構を錠止状態にしておく。
【００３４】
すると、上記錠前４のつる４１が上記カバー体２の上面板部２３の上面に係止した状態となって、上記カバー体２は、上記スプリング１３力による上方への回動付勢力にもかかわらず、上記扉開閉用把手体Ｃを被覆した状態を確実に維持し、上記扉開閉用把手体Ｃの把手部Ｃ１は、この把手部Ｃ１の両側近傍部に位置する上記カバー体２の両側板部２２、２２によって左右方向への回動操作が規制されて、扉Ｂを開放できない状態に確実に維持する。
【００３５】
一方、扉Ｂの開放操作をする場合には、上記錠前４のつる４１を上記施錠板３１のつる挿通孔３１ｄ　から取り除いて上記錠前４のつる４１と上記カバー体２の上面板部２３の上面との間の係止状態を解除する。
【００３６】
すると、上記カバー体２は、上記スプリング１３力によって上記回動軸１２を中心にして上方に向かって自動的に回動、変位し、上記カバー体２の扉開閉用把手体Ｃの収納空間部２４内に収納されていた扉開閉用把手体Ｃは、全面的に露出した状態となって上記カバー体２による上記扉開閉用把手体Ｃの回動規制が解除されて左右方向への自由な回動操作が可能となり、この自由となった扉開閉用把手体Ｃを操作して扉Ｂを開放することができる。
【００３７】
このように、上記把手体のロック構造Ａは、上記カバー体２を上下方向に回動操作すると共に上記施錠板３１のつる挿通孔３１ｄ　内に錠前４のつる４１を挿脱自在に挿通或いは抜き取るといった簡単な操作でもって上記扉開閉用把手体Ｃの回動操作を規制或いは解除することができる。
【００３８】
しかも、上記把手体のロック構造Ａは、既存の扉Ｂに取り付けられた扉開閉用把手体Ｃに簡単に適用することができると共に、扉開閉用把手体Ｃの把手部Ｃ１及びこの把手部Ｃ１の回動領域に対向する扉Ｂの前面に別途、把手体のロック構造Ａのための部材を何ら取り付けておらず、扉開閉用把手体Ｃの把手部Ｃ１の回動操作を円滑に且つ確実に行うことができる。
【００３９】
上記では、施錠機構として、施錠板３１とカバー体２の施錠板挿通孔２３ｂ　とつる４１を備えた錠前４とからなるものを説明したが、これに限定されるものではなく、図４乃至図７に示したような構造のものであってもよい。
【００４０】
即ち、上記取付板１に施錠板３１を突設する代わりに、上記カバー体２の両側板部２２、２２の後側下部に両面間に亘って貫通状態に貫設されたつる挿通孔２２ａ　、２２ａ　と、これらのつる挿通孔２２ａ　、２２ａ　間に上記扉開閉用把手体Ｃの把手部Ｃ１の後面に対して係止した状態となるように挿通可能なつる４１を備えた錠前４とから施錠機構を構成したものであってもよい。なお、図１乃至図３に示した把手体のロック構造と同一構造部分については同一符号を付してその説明を省略する。
【００４１】
つまり、上記施錠機構では、上記カバー体２を、その前面板部２１が略垂直に起立した状態となるまで上記スプリング１３力に抗して上記回動軸１２を中心にして下方に向かって回動、変位させて着脱自在に上記扉開閉用把手体Ｃに被せた後、上記カバー体２の両側板部２２、２２のつる挿通孔２２ａ　、２２ａ　間に錠前４のつる４１を挿通させ、このつる４１を上記扉開閉用把手体Ｃの把手部Ｃ１の後面下部に係止させることによって、上記カバー体２を、上記スプリング１３力による上方への回動付勢力にもかかわらず、上記扉開閉用把手体Ｃを被覆した状態に確実に維持させるように構成している。
【００４２】
そして、上記錠前４のつる４１と上記カバー体２の外周面（前面板部２１の外面及び両側板部２２、２２の外面）との間には僅かな隙間しか生じていないことから、切断工具によって錠前４のつる４１を切断することができず、上記扉開閉用把手体Ｃに上記カバー体２を被せた状態を確実に保持することができる。
【００４３】
【発明の効果】
請求項１に記載の把手体のロック構造は、扉の前面に左右方向に回動自在に取り付けた扉開閉用把手体に着脱自在に被せて上記把手体の回動操作を規制するカバー体と、このカバー体を上記把手体に被せた状態を維持するための施錠機構とからなることを特徴とするので、カバー体を着脱自在に扉開閉用把手体に被せるといった簡単な操作でもって扉開閉用把手体の回動操作を規制し、扉が無断で開放されるのを確実に防止することができる。
【００４４】
又、請求項２に記載の把手体のロック構造は、請求項１に記載の把手体のロック構造において、カバー体は、扉開閉用把手体の前面を覆う縦長長方形状の前面板部の両側端に、扉開閉用把手体の両側部を覆う両側板部を一体的に形成してなり、このカバー体の上端を扉開閉用把手体の上方近傍部における扉の前面に上下方向に回動自在に枢着していることを特徴とするので、上記カバー体を回動軸を中心にして上下方向に回動、変位させることによって上記扉開閉用把手体の回動操作の規制及びその解除を簡単に且つ確実に行うことができる。
【００４５】
そして、請求項３に記載の把手体のロック構造は、請求項２に記載の把手体のロック構造において、施錠機構は、扉の前面に立設され且つ前端部につる挿通孔を設けた施錠板と、カバー体に設けられて上記施錠板の前端部を挿脱可能に挿通させる施錠板挿通孔と、上記つる挿通孔に挿通して錠止するつるを備えた錠前とからなることを特徴とするので、施錠板のつる挿通孔に錠前のつるを挿脱自在に挿通させるといった簡単な作業でもって、カバー体による扉開閉用把手体の回動操作の規制状態を確実に維持して、扉が無断で開放されるのを確実に防止することができる。
【００４６】
更に、請求項４に記載の把手体のロック構造は、請求項２に記載の把手体のロック構造において、施錠機構は、カバー体の両側板部に設けられたつる挿通孔と、これらのつる挿通孔間に把手体の後面に対して係止状態となるように挿通して錠止するつるを備えた錠前とからなることを特徴とするので、つる挿通孔に錠前のつるを挿脱自在に挿通させるといった簡単な作業でもって、カバー体による扉開閉用把手体の回動操作の規制状態を確実に維持して、扉が無断で開放されるのを確実に防止することができる。
【００４７】
又、請求項５に記載の把手体のロック構造は、請求項１乃至請求項４の何れか１項に記載の把手体のロック構造において、カバー体がスプリング力によって開放する方向に常時付勢されていることを特徴とするので、施錠機構が解除されている時には、上記カバー体が自動的に上方に向かって回動、変位して扉開閉用把手体を露出した状態になし、上記カバー体を見るだけで、施錠機構が解除されているか否かを一目瞭然に認識することができ、施錠機構が解除されているにも関わらず、カバー体に扉開閉用把手体を被せた状態を施錠機構により維持されているものと誤認する等の不測の事態を確実に防止することができる。
【００４８】
最後に、請求項６に記載の把手体のロック構造は、請求項２乃至請求項５の何れか１項に記載の把手体のロック構造において、カバー体の上端面にクッション材を一体的に設けていることを特徴とするので、カバー体の上端面とこれに対向する扉の前面とが直接、衝突して破損したり或いは傷ついたりすることを確実に防止することができる。
【図面の簡単な説明】
【図１】本発明の把手体のロック構造を示した斜視図である。
【図２】図１の把手体のロック構造を示した縦断面図である。
【図３】図１の把手体のロック構造を示した斜視図である。
【図４】本発明の他の把手体のロック構造を示した斜視図である。
【図５】図４の把手体のロック構造を示した斜視図である。
【図６】図４の把手体のロック構造を示した縦断面図である。
【図７】図４の把手体のロック構造を示した横断面図である。
【符号の説明】
１　取付板
１１　回動軸挿通孔
２　カバー体
２１　前面板部
２２、２２　両側板部
２２ａ　、２２ａ　つる挿通孔
２３　上面板部
２３ａ　クッション材
２３ｂ　施錠板挿通孔
３　施錠板
３１ｃ　施錠板の前端部
３１ｄ　つる挿通孔
４　錠前
４１　つる
Ａ　把手体のロック構造
Ｂ　扉
Ｂ１　取付孔
Ｃ　扉開閉用把手体
Ｃ１　把手部
Ｃ２　回動軸部
Ｃ３　台座部
【図１】
2004036149.tif 000003
【図２】
2004036149.tif 000004
【図３】
2004036149.tif 000005
【図４】
2004036149.tif 000006
【図５】
2004036149.tif 000007
【図６】
2004036149.tif 000008
【図７】
2004036149.tif 000009